(57)【要約】【課題】湾曲状の掛け枠にレジ袋をはめ込み取手部を突起部にかけ、レジ袋の口部を固定して、どこでも簡単にゴミが捨てられるように設置することができる、レジ袋設置器を提供する。【解決手段】縦長状に対向して並べた支軸（２）の上部にＣ字状のフック（１）を設ける。対向する支軸（２）の中間部分に横軸（５）を水平状に設け、その両端からフック（１）の向きとは逆向きにレジ袋の口部を開いたまま固定できる湾曲状に形成した掛け枠（４）を設ける。対向する支軸（２）の下端に水平状に底軸（８）を設けて連結する。対向する支軸（２）の横軸（５）と底軸（８）の中間部に中間軸（７）を橋渡しして設け、中間軸（７）の両端は支軸（２）の外側に突出させてレジ袋（１４）の取手（１３）を掛ける突起部（６）とした形態を特徴とするレジ袋設置器。【選択図】図１
2007244829.tif 000002
【特許請求の範囲】
【請求項１】
（イ）縦長状に対向して並べた支軸の上部に、それぞれフックを設ける。
（ロ）対向する支軸の中央部に、フックの向きとは逆向きに湾曲状に形成した掛け枠を水平に設ける。
（ハ）対向する支軸の下部に、支軸外側に突出させた突起部をそれぞれ設ける。
以上のごとく構成されたレジ袋設置器。
【発明の詳細な説明】
【技術分野】
【０００１】  本発明は湾曲状の掛け枠にレジ袋をはめ込み取手部を突起部にかけ、レジ袋の口部を固定して、どこでも簡単にゴミが捨てられるように設置することができる、レジ袋設置器に関するものである。
【背景技術】
【０００２】  従来、ゴミ袋としてレジ袋を利用する場合は、レジ袋をそのまま置いてゴミ袋として使用したり、既製のゴミ箱の中に入れて使用したり、壁などのフックにレジ袋取手を吊り下げたりして使用していた。
【発明の開示】
【発明が解決しようとする課題】
【０００３】  そのために、次のような問題点があった。
（イ）ゴミ袋としてそのまま置いて使用するときには、レジ袋の口部がふさがってしまい捨てにくくなったり、ゴミが中から出てきたりした。
（ロ）既製のゴミ箱の中に設置して使用するときには、ゴミ箱の置ける場所でしか使用できなかった。
（ハ）レジ袋の取手で吊り下げるタイプの器具で使用するときには、ゴミの重みでレジ袋の口部が狭くなり捨てにくかった。
（ニ）吸盤などで壁に設置するタイプの器具で使用するときには、吸盤が劣化するとゴミの重みでレジ袋が落下する場合があった。
本発明は、以上の問題点を解決するためになされたものである。
【課題を解決するための手段】
【０００４】  上記問題点を解決するため、縦長状に対向して並べた支軸（２）の上部にどこにでも掛けられ落下しにくいフック（１）を設ける。対向する支軸（２）の中間部分に横軸（５）を水平状に設け、その両端からフック（１）の向きとは逆向きにレジ袋の口部を開いたまま固定できる湾曲状に形成した掛け枠（４）を設ける。対向する支軸（２）の下端に水平状に底軸（８）を設けて連結する。対向する支軸（２）の横軸（５）を底軸（８）の中間部に中間軸（７）を橋渡しして設け、中間軸（７）の両端は支軸（２）の外側に突出させてレジ袋（１４）の取手（１３）を掛ける突起部（６）とする。
以上の形態を特徴とするレジ袋設置器である。
【発明の効果】
【０００５】  （イ）レジ袋（１４）を簡単に、ゴミ入れとして設置することができる。
（ロ）掛けるものの幅に合わせ、フック（１）の幅を変形させることができるのでどこにでも設置することができる。
（ハ）レジ袋（１４）の口部が開いた状態で固定さるのでゴミが捨てやすい。
（ニ）レジ袋（１４）の口部が強固に固定されるので、レジ袋がずり落ちることがない。
（ホ）材料は金属を使用し、しかも引っかけて設置するタイプなのでゴミがたまり重くなっても、落下することはない。
（ヘ）ゴミがたまれば簡単に取り外し、ゴミ箱に捨てることができる。
【発明を実施するための最良の形態】  以下、本発明の実施の形態を説明する。
【実施例１】
【０００６】（イ）材料はステンレスなどの金属棒を使用し、縦長状に対向して並べて支軸（２）の上部をＣ字状に曲折してフック（１）を形成し、フック（１）の先端にゴムＡ（３）を被覆する。
（ロ）対向する支軸（２）の中間部分に横軸（５）を水平状に設ける。
（ハ）横軸（５）の両端より、フック（１）の向きとは反対側に突出させて湾曲状に形成した掛け枠（４）を設け、掛け枠（４）と横軸（５）で囲まれる空間を挿入口（９）とする。
（ニ）対向する支軸（２）の下端は水平状に底軸（８）を設けて連結し、底軸（８）の表面はゴムＢ（１０）で被覆する。
（ホ）対向する支軸（２）の横軸（５）と底軸（８）の中間部に中間軸（７）を橋渡して設け、中間軸（７）の両端は支軸（２）の外側に突出させて突起部（６）とする。
本発明は以上の構成になるので、本体のフック（１）を流し台（１１）のシンク（２５）の上縁に掛けて、本体はシンク（２５）の外側に位置するように設置する。このときゴムＡ（３）はシンク（２５）を傷つけることを防ぎ、ゴムＢ（１０）は流し台の前面を傷つけることを防ぐ。
適度の大きさのレジ袋（１４）の取手（１３）を挿入口（９）の下側から通して、レジ袋（１４）の口部が掛け枠（４）をくるむように外方向へ広げ、取手（１３）は中間軸（７）の両端に設けられた突起部（６）にそれぞれ掛ける。
これにより、シンク前にゴミ袋が設置されることになる。
【実施例２】
【０００７】  また図４に示すように、図１の中間軸（７）と底軸（８）に代えてフック（１）の両端を上部軸（１７）を設けて連結し、対向する支軸（２）の横軸（５）の下部に、支軸（２）の外側に向けて突起部（６）をそれぞれ設ける。横軸（５）の両端より梯形状の掛け枠（４）を設ける。以上のように構成することもできる。
【実施例３】
【０００８】  図５に示すように、図１のフック（１）の代わりに、横軸（５）の中間部２ヶ所に掛け枠（４）の突出方向とは逆の方向に、対向するようにスライド軸（１８）を水平に設ける。固定具（２０）の受孔（２３）にスライド軸を嵌合させ、固定具（２０）をビス（２１）によりテーブルの天板などの底面に固定して本体を設置することもできる。これにより不要なときは本体をスライドさせて天板などの底面に収納することができる。
【実施例４】
【０００９】  図６に示すように、図１のフック（１）の代わりに横軸（５）の中央部に円形状のリング（２２）を設け、そのビス孔（２４）にビス（２１）を通して、テーブルの天板などの底面に本体を設置することもできる。これにより不要なときは本体を水平方向に回転させ机の天板などの底面に収納することができる。
【図面の簡単な説明】
【００１０】
【図１】本発明の実施例１を示す斜視図
【図２】本発明の実施例１の使用状態を示す側面図
【図３】本発明の実施例１の使用状態を裏面より示す斜視図
【図４】本発明の実施例２を示す斜視図
【図５】本発明の実施例３を示す斜視図
【図６】本発明の実施例４を示す斜視図
【符号の説明】
【００１１】１    フック
２    支軸
３    ゴムＡ
４    掛け枠
５    横軸
６    突起部
７    中間軸
８    底軸
９    挿入口
１０  ゴムＢ
１１  流し台
１２  ゴミ
１３  取手
１４  レジ袋
１５  ゴムＣ
１６  ゴムＤ
１７  上部軸
１８  スライド軸
１９  ワッシャー
２０  固定具
２１  ビス
２２  リング
２３  受孔
２４  ビス孔
２５  シンク
【図１】
2007244829.tif 000003
【図２】
2007244829.tif 000004
【図３】
2007244829.tif 000005
【図４】
2007244829.tif 000006
【図５】
2007244829.tif 000007
【図６】
2007244829.tif 000008